(57)【要約】      （修正有）【課題】原子炉一次格納容器内・原子炉二次格納容器内雰囲気の水素濃度・酸素濃度のサンプリング測定を切り替えて行なうことができ、測定点切替時に原子炉一次格納容器内あるいは原子炉二次格納容器内ガスが原子炉二次格納容器内あるいは原子炉一次格納容器内にそれぞれ放出される容量を少なくすることができる格納容器内雰囲気モニタを提供する。【解決手段】原子炉二次格納容器１３内雰囲気をサンプリングする配管２１，２２，２３およびその開閉のためのバルブ３１，３２，３３と、検出器校正用窒素ガスをサンプリングラック１９内に案内する配管４１およびその開閉のためのバルブ４２とを備える。原子炉一次格納容器１３内雰囲気と原子炉二次格納容器１４内雰囲気のサンプリング測定を手動または自動にて切替可能とし、かつ測定点切替時に校正用窒素ガスでサンプリングラック１９内部を自動的にパージする機能を持つ。【選択図】図１
2013079909.tif 000002
【特許請求の範囲】
【請求項１】
原子炉一次格納容器内の雰囲気をサンプリングし、サンプリングラックの水素検出器および酸素検出器によって水素濃度および酸素濃度をサンプリング測定する格納容器内雰囲気モニタにおいて、
原子炉二次格納容器内雰囲気をサンプリングする配管およびその開閉のためのバルブと、検出器校正用窒素ガスを前記サンプリングラック内に案内する配管およびその開閉のためのバルブとを備え、
前記原子炉一次格納容器内雰囲気と原子炉二次格納容器内雰囲気のサンプリング測定を手動または自動にて切替可能とし、かつ切替時に前記検出器校正用窒素ガスでサンプリングラック内部を自動的にパージする機能を持つガス濃度モニタを有することを特徴とする格納容器内雰囲気モニタ。
【請求項２】
前記サンプリングラックは、水素検出器および酸素検出器を有するサンプリング測定配管を備え、このサンプリング測定配管の検出器上流側に検出器校正用窒素ガスを案内する配管を接続した請求項１に記載の格納容器内雰囲気モニタ。
【請求項３】
前記サンプリングラックの外側に検出器校正用窒素ガスボンベを設置した請求項１または２に記載の格納容器内雰囲気モニタ。
【請求項４】
検出器校正用窒素ガスボンベの出口配管を原子炉二次格納容器サンプリングラインの吸込配管と接続し、切替時に、前記サンプリングラック内のサンプリング測定配管全体を窒素ガスでパージ可能に構成した請求項３に記載の格納容器内雰囲気モニタ。
【請求項５】
検出器校正用窒素ガスボンベとは別に専用の窒素ガスボンベを設置した請求項３に記載の格納容器内雰囲気モニタ。
【請求項６】
前記ガス濃度モニタは、原子炉二次格納容器の外側に設けられる一方、切替時に窒素ガスのパージ操作を実施するように注意喚起を行なうメッセージ表示装置を備えた請求項１に記載の格納容器内雰囲気モニタ。
【請求項７】
原子炉一次格納容器内の雰囲気をサンプリングし、サンプリングしたガスを水素検出器および酸素検出器によって検出したり、また、原子炉二次格納容器内雰囲気をサンプリングし、サンプリングしたガスを水素検出器および酸素検出器によって検出し、検出されたサンプリングガスの水素濃度および酸素濃度をガス濃度モニタにて測定する際、
前記原子炉一次格納容器内雰囲気と原子炉二次格納容器内雰囲気のサンプリング測定点を手動または自動にて切替可能とし、
測定点切替時にガス濃度モニタが、検出器校正用窒素ガスで水素検出器および酸素検出器を備えたサンプリングラック内部を自動的にパージする機能を有することを特徴とする格納容器内雰囲気モニタの監視方法。
【請求項８】
前記サンプリングラックは水素濃度検出器および酸素濃度検出器を備えたサンプリング測定配管を有し、このサンプリング測定配管の上流側に検出器校正用窒素ガスボンベの出口配管を接続し、
前記測定点切替時に検出器校正用窒素ガスでサンプリング測定配管内を検出器上流側からパージする請求項７に記載の格納容器内雰囲気モニタの監視方法。
【請求項９】
前記検出器校正用窒素ガスボンベの出口配管を原子炉二次格納容器サンプリングラインの吸込配管に接続し、
前記測定点切替時にサンプリングラックのサンプリング測定配管全体を検出器校正用窒素ガスでパージする請求項７または８に記載の格納容器内雰囲気モニタの監視方法。
【発明の詳細な説明】
【技術分野】
【０００１】
本発明は、原子炉一次格納容器内および原子炉二次格納容器内雰囲気の水素および酸素濃度を測定する格納容器内雰囲気モニタおよびその監視方法に関する。
【背景技術】
【０００２】
原子力発電所における原子炉一次格納容器内雰囲気の水素濃度および酸素濃度は、安全性を確認するための一つの指標として測定が行なわれる。原子炉一次格納容器内雰囲気の水素濃度および酸素濃度を測定する測定設備として格納容器内雰囲気モニタがある（特許文献１および２参照）。
【０００３】
従来の格納容器内雰囲気モニタは、原子炉を格納した原子炉一次格納容器内雰囲気をサンプリングして水素検出器および酸素検出器により水素濃度および酸素濃度をそれぞれ検出してサンプリング測定することができる。
【先行技術文献】
【特許文献】
【０００４】
【特許文献１】特開平９−２１７８４号公報
【特許文献２】特開２０００−２７８４号公報
【発明の概要】
【発明が解決しようとする課題】
【０００５】
従来の格納容器内雰囲気モニタでは、原子炉二次格納容器内雰囲気の水素濃度および酸素濃度の測定・監視は行なわれておらず、残留熱除去系や原子炉補機冷却系を収納した原子炉二次格納容器内雰囲気の水素濃度および酸素濃度を測定することはできない。
【０００６】
原子炉二次格納容器内雰囲気の水素濃度および酸素濃度の測定設備を新たに追加しようとすると、サンプリング配管、サンプリング用ポンプやサンプリングラックが新たに必要となる上、サンプリングラックの収納ラック室を確保する必要があり、格納容器内雰囲気モニタの構成が複雑で、モニタ設置に多大の時間と労力を要する。
【０００７】
また、原子炉一次格納容器内は通常不活性ガスで満たされており、事故時には原子炉一次格納容器内ガス（雰囲気）に放射性物質が含まれることが想定される。このため、原子炉二次格納容器内雰囲気の水素濃度および酸素濃度の測定設備を追設した場合にも、原子炉一次格納容器内ガスが、原子炉二次格納容器に放出されるのを極力少なくする必要がある。
【０００８】
本発明は上述した事情を考慮してなされたもので、原子炉一次格納容器内だけでなく、原子炉二次格納容器内雰囲気の水素濃度および酸素濃度のサンプリング測定を切り替えて行なうことができ、測定点切替時に原子炉一次容器内あるいは原子炉二次容器内ガスが原子炉二次格納容器内あるいは原子炉一次格納容器内にそれぞれ放出される容量を少なくすることができる格納容器内雰囲気モニタおよびその監視方法を提供することを目的とする。
【０００９】
本発明の他の目的は、測定切替時に水素検出器および酸素検出器を備えたサンプリング測定配管内部を検出器校正用窒素ガスでパージし、原子炉一次格納容器内ガスが原子炉二次格納容器内に、あるいは原子炉二次格納容器内空気が原子炉一次格納容器内に放出される容量をさらに少なくすることができる格納容器内雰囲気モニタおよびその監視方法を提供することにある。
【課題を解決するための手段】
【００１０】
本発明に係る格納容器内雰囲気モニタは、上述した課題を解決するために、原子炉一次格納容器内の雰囲気をサンプリングし、サンプリングラックの水素検出器および酸素検出器によって水素濃度および酸素濃度をサンプリング測定する格納容器内雰囲気モニタにおいて、原子炉二次格納容器内雰囲気をサンプリングする配管およびその開閉のためのバルブと、検出器校正用窒素ガスを前記サンプリングラック内に案内する配管およびその開閉のためのバルブとを備え、前記原子炉一次格納容器内雰囲気と原子炉二次格納容器内雰囲気のサンプリング測定を手動または自動にて切替可能とし、かつ切替時に前記検出器校正用窒素ガスでサンプリングラック内部を自動的にパージする機能を持つガス濃度モニタを有することを特徴とするものである。
【００１１】
また、本発明に係る格納容器内雰囲気モニタの監視方法は、上述した課題を解決するために、原子炉一次格納容器内の雰囲気をサンプリングし、サンプリングしたガスを水素検出器および酸素検出器によって検出したり、また、原子炉二次格納容器内雰囲気をサンプリングし、サンプリングしたガスを水素検出器および酸素検出器によって検出し、検出されたサンプリングガスの水素濃度および酸素濃度をガス濃度モニタにて測定する際、前記原子炉一次格納容器内雰囲気と原子炉二次格納容器内雰囲気のサンプリング測定点を手動または自動にて切替可能とし、測定点切替時にガス濃度モニタが、検出器校正用窒素ガスで水素検出器および酸素検出器を備えたサンプリングラック内部を自動的にパージする機能を有することを特徴とする監視方法である。
【発明の効果】
【００１２】
本発明においては、原子炉一次格納容器内雰囲気と原子炉二次格納容器内雰囲気をサンプリングし、その水素濃度と酸素濃度を切り替えてサンプリング測定することができ、測定点切替時に原子炉一次格納容器内または原子炉二次格納容器内ガスが原子炉二次格納容器内あるいは原子炉一次格納容器内にそれぞれ放出される容量を少なくすることができる。
【図面の簡単な説明】
【００１３】
【図１】本発明に係る格納容器内雰囲気モニタおよびその監視方法の第１実施形態を示す原子力発電所の構成図。
【図２】図１に示された格納容器内雰囲気モニタを示す構成図。
【図３】（Ａ）は格納容器内雰囲気モニタに備えられる各バルブの開閉例を示す図、（Ｂ）は格納容器内雰囲気モニタに備えられる各バルブの第２実施形態を示す構成図。
【図４】本発明に係る格納容器内雰囲気モニタの第２実施形態を示す構成図。
【発明を実施するための形態】
【００１４】
以下、本発明に係る格納容器内雰囲気モニタおよびその監視方法の実施形態について添付図面を参照して説明する。
【００１５】
［第１実施形態］
図１は、原子力発電所に設置される格納容器内雰囲気モニタの第１実施形態を示す構成図である。この格納容器内雰囲気モニタ１０はＢＷＲの原子力発電所１１に設けられる。原子力発電所１１では、原子炉１２を格納した原子炉一次格納容器１３が原子炉二次格納容器１４内に設けられる。
【００１６】
原子炉一次格納容器１３内はドライウェル１６とサプレッションチャンバ１７が上部と下部に区画して設けられる一方、原子炉一次格納容器１３の外側に残留熱除去系や原子炉補機冷却系（図示せず）を収容した原子炉二次格納容器１４が設けられる。また、原子炉二次格納容器１４は原子炉建屋（図示せず）内に構成される。原子炉二次格納容器１４内にはガス濃度モニタサンプリングラック室１８が設けられ、このサンプリングラック室１８にガス濃度モニタサンプリングラック１９が配置される。
【００１７】
このサンプリングラック１９は、原子炉一次格納容器１３内雰囲気あるいは原子炉二次格納容器１４内雰囲気の水素濃度および酸素濃度を検出するサンプリング測定装置を構成するものである。
【００１８】
サンプリングラック１９には、原子炉一次格納容器ドライウェル１６内の雰囲気をサンプリングするサンプリングライン２１と、原子炉一次格納容器１３のサプレッションチャンバ１７内の雰囲気をサンプリングするサンプリングライン２２と、原子炉二次格納容器１４内の雰囲気をサンプリングするサンプリングライン２３が接続される。各サンプリングライン２１，２２，２３は、サンプリング吸込（往き）管２１ａ，２２ａ，２３ａとその戻り管２１ｂ，２２ｂ，２３ｂのサンプリング配管で構成され、各サンプリングライン２１，２２，２３の吸込管２１ａ，２２ａ，２３ａはヘッダを介してサンプリングラック１９のサンプリング測定配管２４に接続される。サンプリング測定配管２４には、除湿器２５、水素濃度計２６、酸素濃度計２７がそれぞれ設けられ、排気ポンプを兼ねる吸引ポンプ２８に接続される。
【００１９】
このように、サンプリングラック１９は水素検出器としての水素濃度計２６および酸素検出器としての酸素濃度計２７を有するサンプリング測定装置を構成しており、各サンプリングライン２１，２２，２３に設けたバルブ３１，３２，３３の開閉により、ドライウェル１６、サプレッションチャンバ１７および原子炉二次格納容器１４内の雰囲気を選択的にサンプリングガスとして吸引ポンプ２８により吸引している。
【００２０】
サンプリングラック１９内に導かれたサンプリングガスは除湿器２５により除湿された後、水素濃度計２６、酸素濃度計２７で水素濃度および酸素濃度がそれぞれ検出され、それらの検出信号は、中央制御室３５に設置されたガス濃度モニタ３６に伝送され、このガス濃度モニタ３６でサンプリング測定して表示され、監視される。中央制御室３５は原子炉二次格納容器１４の外側であって原子炉建屋（図示せず）内に設けられる。
【００２１】
これにより、原子炉一次格納容器１３のドライウェル１６、サプレッションチャンバ１７および原子炉二次格納容器１４内雰囲気の水素濃度および酸素濃度を一つのガス濃度モニタ３６でサンプリング測定して表示され、監視することができる。
【００２２】
サンプリングラック１９の水素濃度計２６および酸素濃度計２７で水素濃度および酸素濃度測定後のガスはサンプリングガス戻り管３８に排出され、続いて各サンプリングライン２１，２２，２３の戻り（吐出）配管２１ｂ，２２ｂ，２３ｂを通ってドライウェル１６、サプレッションチャンバ１７および原子炉二次格納容器１４内にそれぞれ戻（還流）される。
【００２３】
なお、バルブ３１，３２，３３は、サンプリングラインの吸込配管２１ａ，２２ａ，２３ａに設けられるバルブ３１ａ，３２ａ，３３ａと、サンプリング戻し配管２１ｂ，２２ｂ，２３ｂに設けられるバルブ３１ｂ，３２ｂ，３３ｂとが対をなして構成される。
【００２４】
また、格納容器内雰囲気モニタ１０には、原子炉二次格納容器１４内設置のサンプリングラック室１８に検出器校正用窒素ガスボンベ４０が設けられ、その出口配管４１は切替バルブ４２を介してサンプリング測定配管２４に、除湿器２５の下流側Ｘ位置で接続される。検出器校正用窒素ガスの出口配管４１は水素濃度計２６や酸素濃度計２７の検出器上流側Ｘに接続される。
【００２５】
切替バルブ４２および各サンプリングライン２１，２２，２３のバルブ３１（３１ａ，３１ｂ），３２（３２ａ，３２ｂ），３３（３３ａ，３３ｂ）は切替スイッチ等の測定点切替手段により開閉作動され、サンプリング（測定）点を原子炉一次格納容器１３内と原子炉二次格納容器１４内との間で手動または自動的に切替可能に構成される。測定点切替手段は、例えば、図２に示すようにガス濃度モニタ３６や中央制御室３５等に備えられるバルブ開閉駆動制御手段である。なお、窒素ガスは安価な不活性的なガスであるが、窒素ガスボンベ４０に代えて不活性ガスを用いた不活性ガスボンベを備えてもよい。
【００２６】
次に、格納容器内雰囲気モニタによる格納容器内雰囲気監視方法を、図３を参照して説明する。
【００２７】
図３（Ａ）に示す格納容器内雰囲気モニタ１０は、原子炉一次格納容器１３内および原子炉二次格納容器１４内雰囲気の水素濃度および酸素濃度を選択的に切り替えて測定し、監視している。
【００２８】
この格納容器内雰囲気モニタ１０は、原子炉一次格納容器１３や原子炉二次格納容器１４内雰囲気の水素濃度および酸素濃度の測定動作は、一例として図３（Ｂ）に示す測定点切替スイッチ（バルブ駆動制御手段）によるバルブ開閉ロジックに従って開閉され、ステップ１からステップ５に示すようにバルブ３１，３２，３３および切替バルブ４２を切り替えてサンプリング測定が行なわれる。測定点切替時には、サンプリングライン２１，２２，２３の長さや、サンプリングスピード（ガス速度）によってガスが置換されるまで数１０分、例えば２０分〜３０分の時間を要する。
【００２９】
原子炉一次格納容器１３内のドライウェル１６測定時には、図３（Ｂ）のステップ１に示すように、ドライウェルサンプリングライン２１のバルブ３１ａ，３１ｂが開操作され、切替バルブ４２および他のサンプリングライン２２，２３のバルブ３２ａ，３２ｂ；３３ａ，３３ｂは閉じ、バルブ３１，３２，３３は図３（Ａ）に示す開閉ロジック状態にある。ドライウェル１６内は通常不活性ガスで満たされている。
【００３０】
このバルブ開閉状態で吸引ポンプ２８が動作すると、ドライウェル１６内のサンプリング（雰囲気）は、サンプリングライン２１の吸引管２１ａからサンプリングラック１９のサンプリング測定配管２４に案内されて除湿器２５に吸い込まれ、ここで除湿された後、水素濃度計２６および酸素濃度計２７に導かれ、水素濃度と酸素濃度が検出され、この検出信号はガス濃度モニタ３６に送られ、水素濃度および酸素濃度がサンプリング測定され、監視される。
【００３１】
水素濃度および酸素濃度が測定されたサンプリングガスは吸引ポンプ２８からサンプリング戻り配管３８に排出され、続いてサンプリングライン２１の戻り配管２１ｂを追ってドライウェル１６内に戻（還流）される。
【００３２】
次に、原子炉一次格納容器ドライウェル１６測定後に、測定点切替スイッチを操作して測定（サンプリング）点を原子炉二次格納容器１４内に切り替えると、切替バルブ４２が開となり、ドライウェルサンプリングライン２１の吸込配管２１ａのバルブ３１ａは閉じ、戻り配管２１ｂのバルブ３１ｂは開状態に保たれる（ステップ２）。このため、この測定点切替えの過渡時には窒素ガスボンベ４０からの検出器校正用窒素ガスでサンプリングラック１９内がパージされる。サンプリング測定配管２４のＸ点から注入された不活性な窒素ガスによりサンプリングラック１９内がパージされ、検出器としての水素濃度計２６および酸素濃度計２７が校正される。
【００３３】
測定点切替時に、サンプリングラック１９内を検出器校正用窒素ガスで所要時間パージした一定時間後に、ステップ３で示す原子炉二次格納容器１４内のサンプリング測定に移り、原子炉二次格納容器１４内からのサンプリングライン２３のバルブ３３（３３ａ，３３ｂ）が開となり、切替バルブ４２および他のサンプリングライン２１，２２のバルブ３１（３１ａ，３１ｂ），３２（３２ａ，３２ｂ）は閉じる。このステップ３のバルブ開閉状態で、原子炉二次格納容器１４内雰囲気（空気）がサンプリングされ、原子炉二次格納容器１４内雰囲気の水素濃度および酸素濃度が水素濃度計２６および酸素濃度計２７で検出され、これらの検出信号がガス濃度センサ３６に送られて、測定されて表示され、監視される。
【００３４】
原子炉二次格納容器１４内サンプリング測定後あるいは測定中に、測定点切替スイッチを操作して測定点をサプレッションチャンバ１７に切り替えると、ステップ４で示すように、切替バルブ４２が開となり、原子炉二次格納容器サンプリングライン２３の吸込配管２３ａ側バルブ３３ａが閉で、戻り配管２３ｂ側バルブ３３ｂを開状態に保持する。
【００３５】
ステップ４の測定点切替時には、ステップ２と同様に、窒素ガスボンベ４０からの窒素ガスがサンプリングラック１９内にパージされる。サンプリングラック１９内にパージされた窒素ガスは水素濃度計２６と酸素濃度計２７に送られて、これらが校正される。
【００３６】
測定点切替時に検出器校正用窒素ガスが所要時間パージされ、一定時間経過するとステップ５に切り替えられ、サプレッションチャンバ１７からのサンプリングライン２２の吸込側と戻り側のバルブ３２（３２ａ，３２ｂ）が開いて、サプレッションチャンバ１７内雰囲気がサンプリング測定される。
【００３７】
このようにして、原子炉一次格納容器ドライウェル１６内雰囲気、原子炉二次格納容器１４内雰囲気（空気）、サプレッションチャンバ１７内雰囲気が測定（サンプリング）点切替の都度、各バルブが図３（Ｂ）に示すバルブ開閉ロジックに従って切り替えられる。測定点切替時のステップ２および４では、検出器校正用窒素ガス（不活性ガスでもよい。）が、所要時間サンプリングラック１９内にパージされ、水素濃度計２６および酸素濃度計２７が窒素ガスで校正される。測定点切替の一定時間後に、原子炉一次格納容器１３内と原子炉二次格納容器１４内雰囲気が選択的にサンプリングされる。
【００３８】
このようにして、ドライウェル１６内、原子炉二次格納容器１４内およびサプレッションチャンバ１７内雰囲気の水素濃度および酸素濃度がサンプリング測定される。ドライウェル１６内、原子炉二次格納容器１４内、およびサプレッションチャンバ１７内雰囲気の測定順序は図３（Ｂ）に示す測定ステップに限定されず、測定点切替スイッチのバルブ開閉ロジックの変更調整により、測定順序を種々変更させることができる。
【００３９】
ただ、測定点切替スイッチでバルブ開閉ロジックが図３（Ｂ）に示す例を採用した場合、例えば原子炉一次格納容器ドライウェル１６後に、測定（サンプリング）点を原子炉二次格納容器１４内に切り替えても、直ちに原子炉二次格納容器１４内雰囲気（空気）のサンプリング測定に切り替わることがない。測定点切替えは、ステップ１からステップ３に直ちに移行せず、中間にステップ２が入る。
【００４０】
本実施形態では、測定点切替時に、測定点が切り替わる所要時間の間、ステップ２で示すように、サンプリングラック１９内は検出器校正用窒素ガスがパージされて校正される。測定点切替えの過渡時にステップ２やステップ４が存在し、サンプリングラック１９内の水素濃度計２６や酸素濃度計２７は窒素ガス（不活性ガスでもよい。）ボンベ４０から窒素ガスがパージされて校正される。したがって、サンプリングラック１９内の残存ガス、例えばドライウェル１６より導入されたガス（不活性ガス）が原子炉二次格納容器１４内に放出されるのを少なくすることができる。
【００４１】
また、原子炉二次格納容器１４内サンプリング測定後に、測定（サンプリング）点をドライウェル１６側に切り替えても、サンプリングラック１９内の残存ガス（原子炉二次格納容器１４から導入された空気）がドライウェル１６内に直ちに放出されるのを少なくすることができる。事故時には、原子炉一次格納容器１３内ガス（雰囲気）に放射性物質が含まれることが想定されるが、本実施形態では測定点切替えの際に、原子炉二次格納容器１４に放出されるガス容量を極力少なくすることができるので、好ましい。また、原子炉二次格納容器１４内から原子炉一次格納容器１３内に切り替えた場合も、通常不活性ガスで満たされている原子炉一次格納容器１３に原子炉二次格納容器１４内ガス（空気）が放出される容量を少なくすることができ、好ましい。
【００４２】
本発明の一実施形態では、サンプリングラック室１８に検出器校正用窒素ガスボンベ４０を備えた例を説明したが、校正用窒素ガスボンベとは別に専用の窒素ガスボンベを設置する構成としてもよい。窒素ガスボンベの設置場所は種々考えられ、サンプリングラック室に限定されない。
【００４３】
また、サンプリングラック１９内に窒素ガスを強制的にパージするバルブ開閉ロジック構成を示したが、このロジック構成に代えて、測定点切替操作時に、運転員に窒素ガスパージ操作実施の注意を喚起するメッセージ表示装置を設置してもよい。
【００４４】
本実施形態によれば、測定点切替時に原子炉一次格納容器１３内ガス（雰囲気）が原子炉二次格納容器１４に、また、原子炉二次格納容器１４内雰囲気が原子炉一次格納容器１３に放出される容量を少なくすることができる。
【００４５】
［第２実施形態］
図４は格納容器内雰囲気モニタの第２実施形態を示す構成図である。
【００４６】
第２実施形態の格納容器内雰囲気モニタ１０Ａを説明するに当り、第１実施形態の図１〜図３に示された格納容器内雰囲気モニタ１０と同じ構成には同一符号を付し、説明を省略ないしは簡素化する。
【００４７】
図４に示す格納容器内雰囲気モニタ１０Ａは、窒素ガスボンベ４０の出口配管４１ａを切替バルブ４４を介して原子炉二次格納容器サンプリングライン２３の吸込配管２３ａにそのバルブ３３ａ側近傍で合流させたものである。第１実施形態に示された格納容器内雰囲気モニタ１０では窒素ガスボンベ４０からの切替バルブ４２がサンプリング測定配管２４に除湿器２５の下流側Ｘ地点で接続されている。
【００４８】
第１実施形態の格納容器内雰囲気モニタ１０では、サンプリングライン２１，２２，２３の吸込側配管２１ａ，２２ａ，２３ａはサンプリング測定配管２４に合流点Ｙ位置で接続されているため、吸込側のサンプリングライン２１，２２，２３の合流点ＹとＸの間のサンプリング測定配管２４内は窒素ガスでパージされない。
【００４９】
この点を考慮し、窒素ガスボンベ４０の出口配管４１ａを切替バルブ４４を通して、二次格納容器サンプリングライン２３の吸込側配管２３ａに、そのバルブ３３ａ下流側直下でかつ合流点Ｙの上流側で接続させるようにしたものである。その他の格納容器内雰囲気モニタ１０Ａや原子力発電所１１の全体構成は、図１に示された第１実施形態と異ならない。
【００５０】
第２実施形態の格納容器内雰囲気モニタ１０Ａは、測定点切替スイッチのバルブ開閉ロジック構成を図３（Ｂ）に示す切替バルブ４２のバルブ開閉に代えて切替バルブ４４がバルブ開閉される。このバルブ開閉ロジック構成を格納容器内雰囲気モニタ１０Ａがとることにより、測定点切替時には、合流点Ｘ−Ｙ間のサンプリング測定配管２４内も窒素ガスでパージされる。その際、窒素ガス出口配管４１および切替バルブ４２は必ずしも必要ないが、水素濃度計２６および酸素濃度計２７を窒素ガスで校正する場合には、切替バルブ４２側を開けて、窒素ガスをパージさせ、校正させてもよい。
【００５１】
また、格納容器内雰囲気モニタ１０Ａを用いて原子炉一次格納容器１３内および原子炉二次格納容器１４内雰囲気の水素濃度と酸素濃度を、第１実施形態で示すものと同様に測定し、監視することができる。
【００５２】
第２実施形態の格納容器内雰囲気モニタ１０Ａにおいては、測定点切替時に原子炉一次格納容器１３内ガス（雰囲気）が原子炉二次格納容器１４内に、あるいは原子炉二次格納容器内雰囲気が原子炉一次格納容器１３に放出される容量をより一層少なくすることができる。
【符号の説明】
【００５３】
１０，１０Ａ  格納容器内雰囲気モニタ
１１  原子力発電所
１２  原子炉
１３  原子炉一次格納容器
１４  原子炉二次格納容器
１６  ドライウェル
１７  サプレッションチャンバ
１８  サンプリングラック室
１９  サンプリングラック
２１，２２，２３  サンプリングライン
２４  サンプリング測定配管
２５  除湿器
２６  水素濃度計
２７  酸素濃度計
２８  吸引ポンプ（排気ポンプ）
３１，３２，３３  バルブ
３５  中央制御室
３６  ガス濃度モニタ
３８  サンプリングガス戻り配管
４０  窒素ガスボンベ
４１，４１ａ，  出口配管
４２，４４  切替バルブ
【図１】
2013079909.tif 000003
【図２】
2013079909.tif 000004
【図３】
2013079909.tif 000005
【図４】
2013079909.tif 000006